(57)【要約】【課題】ＤＡＡを用いたファクシミリモデムシステムによるＩＳＤＮ回線でのファクシミリ通信を可能とする。【解決手段】ＤＳＰチップ１に、ＤＳＰ部１ａとシリコンＤＡＡのシステムサイドデバイス２とを接続して各々の入出力ＩＦ仕様対応のデータ変換を行うシリアルインタフェース部１ｄと、ＤＳＰ部とＩＳＤＮ回線用ＩＳＤＮインタフェース部５ｂとを接続して各々の入出力ＩＦ仕様対応のデータ変換を行うシリアルインタフェース部１ｅと、ＰＳＴＮ回線とＩＳＤＮ回線の各通信仕様に対応したサンプリングデータ変換を行うサンプリング変換機能１ｂと、サンプリングデータとμ／Ａｌａｗデータ変換を行うμ／Ａｌａｗ変換機能１ｃとを設ける。【選択図】　　　　図１
2004112670.tif 000002
【特許請求の範囲】
【請求項１】
ＤＡＡを用いてＰＳＴＮ回線を介してファクシミリデータの通信制御を行うファクシミリ用モデムＤＳＰ装置であって、
データの変復調を含む処理をデジタル信号処理して行うＤＳＰ手段と、
該ＤＳＰ手段と上記ＤＡＡの２次側機能部とを接続して各々の入出力インタフェース仕様に対応したデータ変換を行う第１のインタフェース手段と、
上記ＤＳＰ手段とＩＳＤＮ回線でのデータ伝送制御を行うＩＳＤＮインタフェース手段とを接続して各々の入出力インタフェース仕様に対応したデータ変換を行う第２のインタフェース手段と、
上記ＰＳＴＮ回線の通信仕様に対応した周波数でのサンプリングデータと上記ＩＳＤＮ回線の通信仕様に対応した周波数でのサンプリングデータとの変換を行うサンプリング変換手段と、
上記サンプリングデータとμｌａｗ／Ａｌａｗデータとの変換を行うμｌａｗ／Ａｌａｗ変換手段とを有し、
上記ＤＡＡを用いたＰＳＴＮ回線およびＩＳＤＮ回線でのファクシミリデータの通信制御を行うことを特徴とするファクシミリ用モデムＤＳＰ装置。
【請求項２】
請求項１に記載のファクシミリ用モデムＤＳＰ装置であって、
上記サンプリング変換手段は、上記ＤＳＰ手段が上記ＰＳＴＮ回線での通信仕様に対応したサンプリング周波数でサンプリングした送信データを、上記ＩＳＤＮ回線での通信仕様に対応したサンプリング周波数でのリニアデータに変換して出力し、
上記μｌａｗ／Ａｌａｗ変換手段は、上記サンプリング変換手段から出力されたリニアデータをμｌａｗ／Ａｌａｗデータに変換し、
上記第２のインタフェース手段は、上記μｌａｗ／Ａｌａｗ変換手段で変換されたμｌａｗ／Ａｌａｗデータを上記ＩＳＤＮインタフェース手段に出力し、
該ＩＳＤＮインタフェース手段を介して上記ＩＳＤＮ回線に送信することを特徴とするファクシミリ用モデムＤＳＰ装置。
【請求項３】
請求項１、もしくは、請求項２のいずれかに記載のファクシミリ用モデムＤＳＰ装置であって、
上記第２のインタフェース手段は、上記ＩＳＤＮインタフェース手段を介して上記ＩＳＤＮ回線から受信したファクシミリデータを変換して出力し、
上記μｌａｗ／Ａｌａｗ変換手段は、上記第２のインタフェース手段で変換され出力された受信データをデコードし、
上記サンプリング変換手段は、上記μｌａｗ／Ａｌａｗ変換手段でデコードされたデータを、上記ＰＳＴＮ回線での当該通信仕様に対応したサンプリング周波数でのリニアデータに変換して出力し、
上記ＤＳＰ手段は、上記サンプリング変換手段が出力したリニアデータを復調処理することを特徴とするファクシミリ用モデムＤＳＰ装置。
【請求項４】
請求項１から請求項３のいずれかに記載のファクシミリ用モデムＤＳＰ装置であって、
上記ＤＳＰ手段と外部に設けられた音声ＣＯＤＥＣ手段とを接続して各々の入出力インタフェース仕様に対応したデータ変換を行う第３のインタフェース手段を有し、
上記ＤＳＰ手段は、上記第３のインタフェース手段を介して入出力する音声データの圧縮伸張処理および録音再生処理を含む音声処理機能を有することを特徴とするファクシミリ用モデムＤＳＰ装置。
【請求項５】
請求項１から請求項３のいずれかに記載のファクシミリ用モデムＤＳＰ装置であって、
上記第２のインタフェース手段の代わりに、
外部に設けられた音声ＣＯＤＥＣ手段の入出力インタフェース仕様と上記ＩＳＤＮインタフェース手段に接続され各々の入出力インタフェース仕様との差を吸収して同じシリアルインタフェース仕様に変換する第４のインタフェース手段と、該第４のインタフェース手段と上記ＤＳＰ手段を接続し各々の入出力インタフェース仕様に対応したデータ変換を行う第５のインタフェース手段と
を設けたことを特徴とするファクシミリ用モデムＤＳＰ装置。
【請求項６】
請求項１から請求項３のいずれかに記載のファクシミリ用モデムＤＳＰ装置であって、
上記第１のインタフェース手段の代わりに、
外部に設けられた音声ＣＯＤＥＣ手段の入出力インタフェース仕様と上記ＤＡＡの２次側機能部に接続され各々の入出力インタフェース仕様との差を吸収して同じシリアルインタフェース仕様に変換する第４のインタフェース手段と、
該第４のインタフェース手段と上記ＤＳＰ手段を接続し各々の入出力インタフェース仕様に対応したデータ変換を行う第５のインタフェース手段と
を設けたことを特徴とするファクシミリ用モデムＤＳＰ装置。
【発明の詳細な説明】
【０００１】
【発明の属する技術分野】
本発明は、ファクシミリ装置に設けられるモデムＤＳＰ装置に係わり、特に、ＤＡＡ回路を用いたファクシミリ用モデムＤＳＰ装置に関するものである。
【０００２】
【従来の技術】
現在、ファクシミリ装置およびファクシミリ通信機能を有するパーソナルコン等においては、その通信速度の向上や高機能化を図ることを目的に、ＩＳＤＮ（（Ｉｎｔｅｇｒａｔｅｄ　Ｓｅｒｖｉｃｅｓ　Ｄｉｇｉｔａｌ　Ｎｅｔｗｏｒｋ）回線を利用するものがある。
【０００３】
図５は、従来のファクシミリ装置の電気回路構成を示すブロック図である。
【０００４】
従来のファクシミリ装置の中核となる電気回路ブロックは、ＦＣＵ部（ファクシミリコントロールユニット）５１とＮＣＵ部（ネットワークコントロールユニット）５２に分かれている。
【０００５】
ＦＣＵ部５１には、機器（ファクシミリ装置）の制御を行うコントローラ部５１ａとファクシミリ信号変複調を行うモデム部５１ｂがあり、このモデム部５１ｂは、デジタル信号処理を行うモデムＤＳＰ部５１ｃと、ＡＤ／ＤＡ変換を行うＣＯＤＥＣやレベルなどを調整するオペアンプが含まれるＡＦＥ部５１ｄとから構成される。
【０００６】
また、ＮＣＵ部５２は、電話回線とのインタフェースを行う電気回路ブロックであり、電話回線側（１次側）とＦＣＵ部５１側（２次側）との絶縁を行う絶縁トランス（図中「トランス」と記載）５２ａと、電話回線の直流閉結規格を実現する直流回路５２ｂ、電話回線のリング信号を検出するリング検出回路５２ｃなどから構成される。
【０００７】
通常、ファクシミリ通信はＮＣＵ部５２を介してＰＳＴＮ（Ｐｕｂｌｉｃ　Ｓｗｉｔｃｈｅｄ　Ｔｅｌｅｐｈｏｎｅ　Ｎｅｔｗｏｒｋｓ　、公衆電話交換回線網）回線を通して行われる。しかし、ファクシミリ装置のアプリケーションとして、いわゆるスーパーＧ３などのＰＳＴＮ回線で接続されるファクシミリ通信がＩＳＤＮ回線を通して行われる場合がある。このような場合の、ＩＳＤＮ回線との接続構成例を図６に示す。
【０００８】
図６は、従来のファクシミリ装置のＩＳＤＮ回線との接続構成例を示すブロック図である。
【０００９】
モデムＤＳＰ部６１に入出力されるファクシミリ信号は、ＣＯＤＥＣ部６２でＡＤ／ＤＡ（アナログ→デジタル／デジタル→アナログ）変換される。通常のＰＳＴＮ回線を通す場合は、ＣＯＤＥＣ部６２の入出力は、図５で示すようにして、ＮＣＵ部５２に接続され、絶縁トランス５２ａを介してＰＳＴＮ回線に接続される。
【００１０】
尚、ＣＯＤＥＣ部６２の入力信号と出力信号は、加算アンプ６３でミキシングされ、スピーカ６４からミキシングされた信号を出力することで、ＰＳＴＮ回線上のファクシミリ信号をモニタすることができる。
【００１１】
これに対して、ＩＳＤＮ回線を通してファクシミリ通信する場合は、スイッチ（図中「ＳＷ」と記載）６５でＣＯＤＥＣ部６２の入出力をＮＣＵ部（５２）からＩＳＤＮ通信ブロック６６内のＣＯＤＥＣ部６７の入出力に接続を切り替える。
【００１２】
ＩＳＤＮ通信ブロック６６内のＣＯＤＥＣ部６７は、ＣＯＤＥＣ部６２のファクシミリ通信信号を、ＩＳＤＮ回線用の８ビット（μｌａｗ／Ａｌａｗ変換付き）、８ｋＨｚサンプリングのデジタル信号に変換して、ＩＳＤＮインタフェース部６８を介してＩＳＤＮ回線に送信する。また、逆の処理により、ＩＳＤＮ回線から受信したファクシミリデータは、ＣＯＤＥＣ部６７で逆変換され、ＣＯＤＥＣ部６２を介してモデムＤＳＰ部６１に入力される。
【００１３】
尚、この場合も、ＰＳＴＮ回線接続時と同様に、スピーカ６４からＩＳＤＮ回線上のファクシミリ信号をモニタすることができる。
【００１４】
このように、従来は、電話（ＰＳＴＮ）回線とＦＣＵ部５１との絶縁手段として、絶縁トランス５２ａを使用したＮＣＵ部５２が採用されてきた。しかし、近年のデータモデムでは、コンデンサなどの絶縁手段を使用したＤＡＡ（Ｄａｔａ　Ａｃｃｅｓｓ　Ａｒｒｅｎｇｅｍｅｎｔ）を採用する装置が増えてきており、ファクシミリ装置に関してもＤＡＡを使用した製品が販売されている。
【００１５】
図７は、従来のＤＡＡを使用したファクシミリ装置の電気回路構成を示すブロック図である。
【００１６】
ここでは、コンデンサを絶縁手段として用いたシリコンＤＡＡを使用した場合のファクシミリ用モデム７１の構成を示しており、ＦＣＵ部およびＮＣＵ部の機能を有する２次側機能部（図中「２次側」と記載）７２、および、電話回線（ＰＳＴＮ回線）との接続制御を行う１次側機能部（図中「１次側」と記載）７３からなる。
【００１７】
一般に、シリコンＤＡＡは、システムサイドデバイス７２ｃとラインサイドデバイス７３ａ、絶縁コンデンサ７４から構成される。すなわち、ＰＳＴＮ回線に接続される１次側機能部としてのラインサイドデバイス７３ａと、この１次側（ＰＳＴＮ回線）から絶縁コンデンサ７４で絶縁された２次側機能部としてのシステムサイドデバイス７２ｃから構成されている。
【００１８】
モデムＤＳＰ部７２ｂからのファクシミリ通信信号は、シリコンＤＡＡの２次側機能部を構成するシステムサイドデバイス７２ｃにおいて、絶縁コンデンサ７４を通過する信号に変換されて、１次側機能部７３のラインサイドデバイス７３ａに送出される。
【００１９】
このラインサイドデバイス７３ａは、モデムＤＳＰ部７２ｂからの信号を、内蔵のＣＯＤＥＣ７３ｂにおいてアナログ信号に変換し、周辺回路７３ｃを介して回線に出力する。逆に、回線からの入力信号に対しては、ラインサイドデバイス７３ａは、内蔵ＣＯＤＥＣ７３ｂでＡ／Ｄ変換し、絶縁コンデンサ７４を通してシステムサイドデバイス７２ｃに伝送し、モデムＤＳＰ部７２ｂに入力する。
【００２０】
このようなＤＡＡを使用したファクシミリ用モデム７１で、ＩＳＤＮ回線を通してファクシミリ通信する場合、図６に示すＩＳＤＮ通信ブロック６６と接続する。
【００２１】
この場合、ＩＳＤＮ通信ブロック６６とモデムＤＳＰ部６２の入出力はＣＯＤＥＣ部６２，６７を介して行うので、アナログ信号でファクシミリ通信信号を接続する必要がある。しかし、ＤＡＡを使用したファクシミリ用モデム７１では、２次側に、アナログのファクシミリ通信信号を接続する手段がない。
【００２２】
このように、ファクシミリ用モデム７１におけるモデムＤＳＰ部７２ｂの入出力やシステムサイドデバイス７２ｃの入出力は、デジタル信号であり、アナログ信号が存在しない。そのため、ＤＡＡを使用したシステムでは、ＩＳＤＮ回線を通したファクシミリ通信を行うことができない。
【００２３】
尚、電話回線との接続に用いるＤＡＡに関しては、例えば、特許文献１および特許文献２に記載されており、特許文献１では、各国で定められている電話規格での接続を容易とする技術が記載され、特許文献２では、ＬＥＤとフォトダイオードにより光アイソレータを構成する等の技術が記載されている。
【００２４】
【特許文献１】
特表２００２−５１８９４４号公報
【特許文献２】
特表平１１−５０９０５９号公報
【００２５】
【発明が解決しようとする課題】
解決しようとする問題点は、従来の技術では、ＤＡＡを用いたモデムによるＩＳＤＮ回線との接続ができない点である。
【００２６】
本発明の目的は、これら従来技術の課題を解決し、ファクシミリ用モデムの性能の向上を図ることである。
【００２７】
【課題を解決するための手段】
上記目的を達成するため、本発明のファクシミリ用モデムＤＳＰ装置は、ＤＡＡを用いてＰＳＴＮ回線を介してファクシミリデータの通信制御を行うファクシミリ用モデムＤＳＰ装置であって、データの変復調を含む処理をデジタル信号処理して行うＤＳＰ部１ａと、ＤＳＰ部１ａとＤＡＡの２次側機能部としてのシステムサイドデバイス２とを接続して各々の入出力インタフェース仕様に対応したデータ変換を行う第１のインタフェース部（システムサイドデバイス用シリアルインタフェース部１ｄ）と、ＤＳＰ部１ａとＩＳＤＮ回線でのデータ伝送制御を行うＩＳＤＮインタフェース部５ｂとを接続して各々の入出力インタフェース仕様に対応したデータ変換を行う第２のインタフェース部（ＩＳＤＮインタフェース用シリアルインタフェース部１ｅ）と、ＰＳＴＮ回線の通信仕様に対応した周波数でのサンプリングデータと上記ＩＳＤＮ回線の通信仕様に対応した周波数でのサンプリングデータとの変換を行うサンプリング変換機能１ｂと、サンプリングデータとμｌａｗ／Ａｌａｗデータとの変換を行うμｌａｗ／Ａｌａｗ変換機能１ｃとを有し、ＤＡＡを用いたＰＳＴＮ回線およびＩＳＤＮ回線でのファクシミリデータの通信制御を行うことを特徴とする。例えば、送信時には、サンプリング変換機能１ｃは、ＤＳＰ部１ａがＰＳＴＮ回線での通信仕様に対応したサンプリング周波数でサンプリングした送信データを、ＩＳＤＮ回線での通信仕様に対応したサンプリング周波数でのリニアデータに変換して出力し、μｌａｗ／Ａｌａｗ変換機能１ｃは、サンプリング変換機能１ｂから出力されたリニアデータをμｌａｗ／Ａｌａｗデータに変換し、第２のインタフェース部（ＩＳＤＮインタフェース用シリアルインタフェース部１ｅ）は、μｌａｗ／Ａｌａｗ変換機能１ｃで変換されたμｌａｗ／ＡｌａｗデータをＩＳＤＮインタフェース部５ｂに出力し、このＩＳＤＮインタフェース部５ｂを介してＩＳＤＮ回線に送信する。また、受信時には、第２のインタフェース部（ＩＳＤＮインタフェース用シリアルインタフェース部１ｅ）は、ＩＳＤＮインタフェース部５ｂを介してＩＳＤＮ回線から受信したファクシミリデータを変換して出力し、μｌａｗ／Ａｌａｗ変換機能１ｃは、第２のインタフェース部（ＩＳＤＮインタフェース用シリアルインタフェース部１ｅ）で変換され出力された受信データをデコードし、サンプリング変換機能１ｂは、μｌａｗ／Ａｌａｗ変換機能１ｃでデコードされたデータを、ＰＳＴＮ回線での当該通信仕様に対応したサンプリング周波数でのリニアデータに変換して出力し、ＤＳＰ部１ａは、サンプリング変換機能１ｂが出力したリニアデータを復調処理する。さらに、ＤＳＰ部２１ａと外部に設けられた音声ＣＯＤＥＣ２６とを接続して各々の入出力インタフェース仕様に対応したデータ変換を行う第３のインタフェース部（音声ＣＯＤＥＣ用シリアルインタフェース部２１ｆ）を有し、ＤＳＰ部１ａは、第３のインタフェース部（音声ＣＯＤＥＣ用シリアルインタフェース部２１ｆ）を介して入出力する音声データの圧縮伸張処理および録音再生処理を含む音声処理機能を有する。また、第２のインタフェース部（ＩＳＤＮインタフェース用シリアルインタフェース部１ｅ）の代わりに��外部に設けられた音声ＣＯＤＥＣ３６の入出力インタフェース仕様とＩＳＤＮインタフェース部３５ｂに接続され各々の入出力インタフェース仕様との差を吸収して同じシリアルインタフェース仕様に変換する第４のインタフェース部（シリアルフォーマット変換部３１ｈ）と、この第４のインタフェース部（シリアルフォーマット変換部３１ｈ）とＤＳＰ部３１ａを接続し各々の入出力インタフェース仕様に対応したデータ変換を行う第５のインタフェース部（シリアルインタフェース部３１ｇ）とを設けたことを特徴とする。あるいは、第１のインタフェース部（システムサイドデバイス用シリアルインタフェース部１ｄ）の代わりに、外部に設けられた音声ＣＯＤＥＣ４６の入出力インタフェース仕様とＤＡＡのシステムサイドデバイス４２に接続され各々の入出力インタフェース仕様との差を吸収して同じシリアルインタフェース仕様に変換する第４のインタフェース部（シリアルフォーマット変換部４１ｈ）と、この第４のインタフェース部（シリアルフォーマット変換部４１ｈ）とＤＳＰ部４１ａを接続し各々の入出力インタフェース仕様に対応したデータ変換を行う第５のインタフェース部（シリアルインタフェース部４１ｇ）とを設けたことを特徴とする。
【００２８】
【発明の実施の形態】
以下、本発明の実施の形態を、図面により詳細に説明する。
【００２９】
図１は、本発明に係わるファクシミリ用モデムＤＳＰ装置およびそれを用いたファクシミリモデムの第１の構成例を示すブロック図である。
【００３０】
図１において、１はファクシミリ用モデムＤＳＰチップ（図中「モデムＤＳＰチップ」と記載）、２はシステムサイドデバイス、３はラインサイドデバイス、４は周辺回路、５はＩＳＤＮ通信ブロック、６は絶縁コンデンサである。
【００３１】
システムサイドデバイス２とラインサイドデバイス３および絶縁コンデンサ６はシリコンＤＡＡを構成しており、本例のファクシミリ用モデムＤＳＰチップ１では、このようなシリコンＤＡＡを用いて、ＰＳＴＮ回線およびＩＳＤＮ回線でのファクシミリデータの通信制御を行う。
【００３２】
その動作を可能とするために、ファクシミリ用モデムＤＳＰチップ１には、データの変復調を含む処理をデジタル信号処理して行うＤＳＰ部１ａと、このＤＳＰ部１ａとシリコンＤＡＡの２次側機能部としてのシステムサイドデバイス２とを接続して各々の入出力インタフェース仕様に対応したデータ変換を行うシステムサイドデバイス用シリアルインタフェース部１ｄと、ＤＳＰ部１ａとＩＳＤＮ回線でのデータ伝送制御を行うＩＳＤＮ通信ブロック５内のＩＳＤＮインタフェース部５ｂとを接続して各々の入出力インタフェース仕様に対応したデータ変換を行うＩＳＤＮインタフェース用シリアルインタフェース部１ｅと、ＰＳＴＮ回線の通信仕様に対応した周波数でのサンプリングデータとＩＳＤＮ回線の通信仕様に対応した周波数でのサンプリングデータとの変換を行うサンプリング変換機能１ｂと、このサンプリングデータとμｌａｗ／Ａｌａｗデータとの変換を行うμｌａｗ／Ａｌａｗ変換機能１ｃとを設けている。
【００３３】
例えば、ＩＳＤＮインタフェース部５ｂを介してＩＳＤＮ回線にファクシミリ送信をする場合、サンプリング変換機能１ｂにおいて、ＤＳＰ部１ａがＰＳＴＮ回線での通信仕様に対応したサンプリング周波数でサンプリングした送信データを、ＩＳＤＮ回線での通信仕様に対応したサンプリング周波数でのリニアデータに変換して出力する。
【００３４】
そして、μｌａｗ／Ａｌａｗ変換機能１ｃにおいて、サンプリング変換機能１ｂから出力されたリニアデータをμｌａｗ／Ａｌａｗデータに変換し、ＩＳＤＮインタフェース用シリアルインタフェース部１ｅにおいて、このμｌａｗ／Ａｌａｗ変換機能１ｃで変換されたμｌａｗ／ＡｌａｗデータをＩＳＤＮインタフェース部５ｂに出力し、このＩＳＤＮインタフェース部５ｂを介してＩＳＤＮ回線に送信する。
【００３５】
また、ＩＳＤＮインタフェース部５ｂを介してＩＳＤＮ回線からのファクシミリ受信を行う場合には、ＩＳＤＮインタフェース用シリアルインタフェース部１ｅにおいて、ＩＳＤＮインタフェース部５ｂを介してＩＳＤＮ回線から受信したファクシミリデータを変換して出力し、このＩＳＤＮインタフェース用シリアルインタフェース部１ｅで変換され出力された受信データを、μｌａｗ／Ａｌａｗ変換機能１ｃにおいてデコードする。
【００３６】
そして、サンプリング変換機能において、μｌａｗ／Ａｌａｗ変換機能１ｃにおいてデコードされたデータを、ＰＳＴＮ回線での当該通信仕様に対応したサンプリング周波数でのリニアデータに変換して出力し、ＤＳＰ部１ａにおいて、サンプリング変換機能１ｂが出力したリニアデータを復調処理する。
【００３７】
尚、図１におけるファクシミリ用モデムＤＳＰチップ１は、図５〜図７で示したモデムＤＳＰ部に相当し、システムサイドデバイス用シリアルインタフェース部１ｄは、シリコンＤＡＡの２次側機能部としてのシステムサイドデバイス２との間でシリアルでデータを送受信し、ＩＳＤＮインタフェース用シリアルインタフェース部１ｅは、ＩＳＤＮ通信ブロック５におけるＩＳＤＮインタフェース部５ｂとの間でシリアルでデータを送受信する。
【００３８】
上述したように、ＰＳＴＮ回線とのファクシミリ通信の場合、ＤＳＰ部１ａからの送信データは、システムサイドデバイス用シリアルインタフェース部１ｄにより、モデムＣＯＤＥＣ用のインターフェースフォーマットに変換される。
【００３９】
このモデムＣＯＤＥＣ用のインターフェースフォーマットは、１６ビットリニアのデータ長で、接続されるフェーズや接続されるシンボルレートによりサンプリング周波数が変化する。
【００４０】
システムサイドデバイス２は、モデムＣＯＤＥＣ用のインターフェースフォーマットに対応しており、ＤＳＰ部１ａからのファクシミリ信号はシステムサイドデバイス２で絶縁コンデンサ６を通過する信号に変換される。
【００４１】
絶縁コンデンサ６を通して伝送されたＤＳＰ部１ａのファクシミリ信号は、ラインサイドデバイス３におけるＣＯＤＥＣ３ａによりアナログ信号に変換されてＰＳＴＮ回線に伝送される。
【００４２】
これに対して、ＩＳＤＮ回線とのファクシミリ通信の場合は、ＤＳＰ部１ａからの送受信データは、ＩＳＤＮインタフェース用シリアルインタフェース部１ｅにより、ＩＳＤＮインタフェース用のインターフェースフォーマットに変換される。
【００４３】
このＩＳＤＮインタフェース用のインターフェースフォーマットは、ＩＳＤＮ通信ブロック５内のＣＯＤＥＣ部５ａにおける入出力フォーマットであり、８ビットμｌａｗ／Ａｌａｗデータフォーマット、８ｋＨｚサンプリング周波数のインターフェースフォーマットである。
【００４４】
ＤＳＰ部１ａの送受信データは、１６ビットリニアのデータ長であり、サンプリング周波数は、接続されるフェーズや接続されるシンボルレートによりサンプリング周波数が変化する。例えば、サンプリング周波数は、９６００Ｈｚや７２００Ｈｚなど複数の値をとる。
【００４５】
そのため、ＤＳＰ部１ａに、サンプリング変換機能１ｂとμｌａｗ／Ａｌａｗ変換機能１ｃが設けられている。ＤＳＰ部１ａからの送受信データは、サンプリング変換機能１ｂにおいて、９６００Ｈｚや７２００Ｈｚなどの元々のサンプリング周波数から、８ｋＨｚにサンプリング変換する。
【００４６】
また、μｌａｗ／Ａｌａｗ変換機能１ｃにより、１６ビットリニアのデータから８ビットμｌａｗ／Ａｌａｗデータフォーマットに変換する。
【００４７】
このようにして変換されたデータは、ＩＳＤＮインタフェース用シリアルインタフェース部１ｅにより、ＩＳＤＮ通信ブロック５のＩＳＤＮインタフェース部５ｂに伝送され、ＩＳＤＮインタフェース部５ｂにおいてＩＳＤＮ規格に変換され、ＩＳＤＮ回線に伝送される。
【００４８】
図２は、本発明に係わるファクシミリ用モデムＤＳＰ装置およびそれを用いたファクシミリモデムの第２の構成例を示すブロック図である。
【００４９】
本例のファクシミリ用モデムＤＳＰチップ２１は、音声の録音再生機能とＩＳＤＮ回線へのファクシミリ通信機能を備えたものである。
【００５０】
ファクシミリ装置のオプション機能として音声の録音再生機能がある。この機能は、いわゆる留守番電話用のメッセージを録音しておき、着信があると、録音した音声メッセージを電話回線へ出力したり、電話回線からの応答メッセージを録音して、後にスピーカなどで再生する機能などである。この録音・再生処理時には、音声データの圧縮処理（録音時）および伸張処理（再生時）も行われる。
【００５１】
一般に、ファクシミリ装置では、音声の録音再生機能は、ファクシミリ通信機能とは排他的に動作し、同時に動作することはない。
【００５２】
本図２に示す例では、図１に示した例に対して、ファクシミリ用モデムＤＳＰチップ２１内に音声ＣＯＤＥＣ用シリアルインタフェース部２１ｆを付加している。
【００５３】
このような構成において、図２に示すファクシミリ用モデムでは、ファクシミリ通信時は、図１の例と同じ動作を行う。
【００５４】
音声の録音時は、ファクシミリ通信を行っていないため、ＤＳＰ部２１ａは、音声ＣＯＤＥＣ２６からの録音用音声データを音声ＣＯＤＥＣ用シリアルインタフェース部２１ｆから取り込み、ＤＳＰ部２１ａ内部で音声処理、例えば音声圧縮処理などを行う。
【００５５】
また、音声再生の場合は、ＤＳＰ部２１ａにおいて、録音しておいた音声データに対して音声処理、例えば音声伸張処理を行い、音声ＣＯＤＥＣ用シリアルインタフェース部２１ｆから音声ＣＯＤＥＣ２１に出力する。出力された音声データは、音声ＣＯＤＥＣ２１でＤＡ処理されて再生信号として出力される。
【００５６】
このように、図２におけるファクシミリ用モデムＤＳＰチップ２１では、図１におけるファクシミリ用モデムＤＳＰチップ１の機能に加えて、ＤＳＰ部２１ａと外部に設けられた音声ＣＯＤＥＣ２６とを接続して各々の入出力インタフェース仕様に対応したデータ変換を行う音声ＣＯＤＥＣ用シリアルインタフェース部２１ｆを有し、ＤＳＰ部２１においては、音声ＣＯＤＥＣ用シリアルインタフェース部２１ｆを介して入出力する音声データの圧縮伸張処理および録音再生処理を含む音声処理をおこなう。
【００５７】
図３は、本発明に係わるファクシミリ用モデムＤＳＰ装置およびそれを用いたファクシミリモデムの第３の構成例を示すブロック図である。
【００５８】
本図３の例においては、図２に示す例と同様に、音声の録音再生機能とＩＳＤＮ回線およびＰＳＴＮ回線でのファクシミリ通信機能を備えている。
【００５９】
本例では、特に、音声の録音再生機能とＩＳＤＮ回線へのファクシミリ通信機能は同時に動作することはないことに着目し、それぞれとの入出力用インタフェース部を共有する構成としており、図２のファクシミリ用モデムＤＳＰチップ２１に設けられている音声ＣＯＤＥＣ用シリアルインタフェース２１ｆとＩＳＤＮインタフェース用シリアルインタフェース２１ｅの代わりに、本例のファクシミリ用モデムＤＳＰチップ３１には、シリアルインタフェース部３１ｇとシリアルフォーマット変換部３１ｈとが設けられている。
【００６０】
このファクシミリ用モデムＤＳＰチップ３１内のシリアルフォーマット変換部３１ｈは、音声ＣＯＤＥＣ３６のシリアルインタフェース仕様と、ＩＳＤＮ通信ブロック３５内のＩＳＤＮインタフェース部３５ｂのシリアルインタフェース仕様の差を吸収して、同じシリアルインタフェース仕様に変換する機能を持ち、音声ＣＯＤＥＣ３６のデータかＩＳＤＮインタフェース部３５ｂのデータかを選択して、一方のデータを出力する。
【００６１】
そして、このシリアルフォーマット変換部３１ｈにより同じシリアルインタフェース仕様となった音声データやファクシミリ通信データは、シリアルインタフェース部３１ｇを介してＤＳＰ部３１ａに入力される。
【００６２】
音声の録音再生処理の動作に関して、および、ＰＳＴＮ回線とＩＳＤＮ回線でのファクシミリ通信処理の動作に関してのＤＳＰ部３１ａでの処理は、図２におけるＤＳＰ部２１ａと同じである。
【００６３】
このように、本例では、音声の録音再生機能とＩＳＤＮ回線へのファクシミリ通信機能は同時に動作することはないことに着目し、音声ＣＯＤＥＣ３６の入出力インタフェース仕様とＩＳＤＮインタフェース部３５ｂに接続され、各々の入出力インタフェース仕様との差を吸収して同じシリアルインタフェース仕様に変換するシリアルフォーマット変換部３１ｈと、このシリアルフォーマット変換部３１ｈとＤＳＰ部３１ａを接続し各々の入出力インタフェース仕様に対応したデータ変換を行うシリアルインタフェース部３１ｇとを設け、図２における音声ＣＯＤＥＣ用２１ｆとＩＳＤＮインタフェース用シリアルインタフェース部２１ｅを不要としている。
【００６４】
図４は、本発明に係わるファクシミリ用モデムＤＳＰ装置およびそれを用いたファクシミリモデムの第４の構成例を示すブロック図である。
【００６５】
本図４の例においては、図２および図３に示す例と同様に、音声の録音再生機能とＩＳＤＮ回線およびＰＳＴＮ回線でのファクシミリ通信機能を備えている。
【００６６】
本例では、特に、音声の録音再生機能とＰＳＴＮ回線へのファクシミリ通信機能は同時に動作することはないことに着目し、それぞれとの入出力用インタフェース部を共有する構成としており、図２のファクシミリ用モデムＤＳＰチップ２１に設けられている音声ＣＯＤＥＣ用シリアルインタフェース２１ｆとシステムサイドデバイス用シリアルインタフェース２１ｄの代わりに、本例のファクシミリ用モデムＤＳＰチップ４１には、シリアルインタフェース部４１ｇとシリアルフォーマット変換部４１ｈとが設けられている。
【００６７】
このファクシミリ用モデムＤＳＰチップ４１内のシリアルフォーマット変換部４１ｈは、音声ＣＯＤＥＣ４６のシリアルインタフェース仕様と、シリコンＤＡＡのシステムサイドデバイス４２のシリアルインタフェース仕様の差を吸収して、同じシリアルインタフェース仕様に変換する機能を持ち、音声ＣＯＤＥＣ４６のデータかシステムサイドデバイス４２のデータかを選択し、一方のデータを出力する。
【００６８】
そして、このシリアルフォーマット変換部４１ｈにより同じシリアルインタフェース仕様となった音声データやファクシミリ通信データは、シリアルインタフェース部４１ｇを介してＤＳＰ部４１ａに入力される。
【００６９】
音声の録音再生処理の動作に関して、および、ＰＳＴＮ回線とＩＳＤＮ回線でのファクシミリ通信処理の動作に関してのＤＳＰ部３１ａでの処理は、図２におけるＤＳＰ部２１ａと同じである。
【００７０】
このように、本例では、音声の録音再生機能とＰＳＴＮ回線へのファクシミリ通信機能は同時に動作することはないことに着目し、音声ＣＯＤＥＣ４６の入出力インタフェース仕様とシステムサイドデバイス４２に接続され、各々の入出力インタフェース仕様との差を吸収して同じシリアルインタフェース仕様に変換するシリアルフォーマット変換部４１ｈと、このシリアルフォーマット変換部４１ｈとＤＳＰ部４１ａを接続し各々の入出力インタフェース仕様に対応したデータ変換を行うシリアルインタフェース部４１ｇとを設け、図２における音声ＣＯＤＥＣ用２１ｆとシステムサイドデバイス用シリアルインタフェース部２１ｄを不要としている。
【００７１】
以上、図１〜図４を用いて説明したように、本例のファクシミリ用モデムＤＳＰチップ１，２１，３１，４１を設けることにより、シリコンＤＡＡを使用したファクシミリモデムシステムでも、ＩＳＤＮ回線を通したファクシミリ通信を行うことができる。
【００７２】
特に、ファクシミリ用モデムＤＳＰチップ２１，３１，４１を設けた場合には、シリコンＤＡＡを使用したファクシミリモデムシステムでも、ＩＳＤＮ回線を通したファクシミリ通信機能と音声の録音再生機能を実現することができる。
【００７３】
尚、本発明は、図１〜図４を用いて説明した例に限定されるものではなく、その要旨を逸脱しない範囲において種々変更可能である。例えば、図１に示す例では、サンプリング変換機能１ｂやμｌａｗ／Ａｌａｗ変換機能１ｃはＤＳＰ部１ａで処理される構成を取っているが、それぞれハードウェアで独立したブロック構成とすることでも良い。
【００７４】
また、本例では、装置の小型化のためにシリコンＤＡＡを用いているが、他のＤＡＡを用いることでも良い。
【００７５】
また本例では、ファクシミリ用モデムシステムを、チップ（パッケージされた半導体集積回路、ＩＣ：Ｉｎｔｅｇｒａｔｅｄ　Ｃｉｒｃｕｉｔ）構成として装置の小型化を図っているが、例えば、基板構成とすることでも良い。
【００７６】
【発明の効果】
本発明によれば、ＤＡＡを用いたファクシミリモデムシステムによるＩＳＤＮ回線でのファクシミリ通信が可能となり、ファクシミリ用モデムの性能の向上を図ることが可能である。また、音声の録音再生も簡素な構成で行うことが可能となる。
【図面の簡単な説明】
【図１】本発明に係わるファクシミリ用モデムＤＳＰ装置およびそれを用いたファクシミリモデムの第１の構成例を示すブロック図である。
【図２】本発明に係わるファクシミリ用モデムＤＳＰ装置およびそれを用いたファクシミリモデムの第２の構成例を示すブロック図である。
【図３】本発明に係わるファクシミリ用モデムＤＳＰ装置およびそれを用いたファクシミリモデムの第３の構成例を示すブロック図である。
【図４】本発明に係わるファクシミリ用モデムＤＳＰ装置およびそれを用いたファクシミリモデムの第４の構成例を示すブロック図である。
【図５】従来のファクシミリ装置の電気回路構成を示すブロック図である。
【図６】従来のファクシミリ装置のＩＳＤＮ回線との接続構成例を示すブロック図である。
【図７】従来のＤＡＡを使用したファクシミリ装置の電気回路構成を示すブロック図である。
【符号の説明】
１，２１，３１，４１：ファクシミリ用モデムＤＳＰチップ、１ａ，２１ａ，３１ａ，４１ａ：ＤＳＰ部、１ｂ，２１ｂ，３１ｂ，４１ｂ：サンプリング交換機能、１ｃ，２１ｃ，３１ｃ，４１ｃ：μｌａｗ／Ａｌａｗ変換機能、１ｄ，２１ｄ，３１ｄ：システムサイドデバイス用シリアルインタフェース部、１ｅ，２１ｅ，４１ｅ：ＩＳＤＮインタフェース用シリアルインタフェース部、２，２２，３２，４２：システムサイドデバイス、３，２３，３３，４３：ライトサイドデバイス、３ａ，２３ａ，３３ａ，４３ａ：ＣＯＤＥＣ、４，２４，３４，４４：周辺回路、５，２５，３５，４５：ＩＳＤＮ通信ブロック、５ａ，２５ａ，３５ａ，４５ａ：ＣＯＤＥＣ部、５ｂ，２５ｂ，３５ｂ，４５ｂ：ＩＳＤＮインタフェース部、６，６ａ〜６ｃ：絶縁コンデンサ、２１ｆ：音声ＣＯＤＥＣ用シリアルインタフェース部、２６，３６，４６：音声ＣＯＤＥＣ、３１ｈ，４１ｈ：シリアルフォーマット変換部、３１ｇ，４１ｇ：シリアルインタフェース部、５１：ＦＣＵ部、５１ａ：コントローラ部、５１ｂ：モデム部、５１ｃ：モデムＤＳＰ部、５１ｄ：ＡＦＥ部、５２：ＮＣＵ部、５２ａ：絶縁トランス（「トランス」）、５２ｂ：直流回路、５２ｃ：リング検出回路、６１：モデムＤＳＰ部、６２：ＣＯＤＥＣ部、６３：加算アンプ、６４：スピーカ、６５：スイッチ（「ＳＷ」）、６６：ＩＳＤＮ通信ブロック、６７：ＣＯＤＥＣ部、６８：ＩＳＤＮインタフェース部、７１：ファクシミリ用モデム、７２：２次側機能部（「２次側」）、７２ａ：コントローラ部、７２ｂ：モデムＤＳＰ部、７２ｃ：システムサイドデバイス、７３：１次側機能部（「１次側」）、７３ａ：ライトサイドデバイス、７３ｂ：ＣＯＤＥＣ、７３ｃ：周辺回路、７４：絶縁コンデンサ。
【図１】
2004112670.tif 000003
【図２】
2004112670.tif 000004
【図３】
2004112670.tif 000005
【図４】
2004112670.tif 000006
【図５】
2004112670.tif 000007
【図６】
2004112670.tif 000008
【図７】
2004112670.tif 000009